(57)【特許請求の範囲】
【請求項１】
伝送装置などの警報処理部などが送出するｍ個（ｍは任意の自然数）の警報信号を受けるｍ個の警報信号入力端子を備える警報検出回路と、前記警報検出回路が受信したｍ個の警報信号を入力として、ｍ個の警報信号からｎ×ｋ個（ｎとｋはともに任意の自然数。但し、ｍ≦ｎ×ｋである。）の警報項目を生成して警報分類回路に送出する警報出力生成回路と、前記警報出力生成回路が送出するｎ×ｋ個の警報項目を、ｋ種類の警報情報に分類して選択回路に送出する前記警報分類回路と、前記警報分類回路が送出したｋ種類（１種類につき、ｎ個の警報項目から成っている）の警報情報の内から、選択制御回路から送出される選択信号に従ってただ１種類の警報情報を選択して地気警報出力回路に送出する前記選択回路と、前記選択回路から送出された１種類の警報情報を受信して、前記警報情報の各警報項目を自身が備えるｎ個の地気警報出力端子の各々に地気出力する前記地気警報出力回路と、を備えたことを特徴とする地気インタフェース警報出力回路。
【請求項２】
前記選択制御回路は、制御切替スイッチなどから出力される選択制御信号を、自身が備える制御信号入力端子を介して受信し、前記選択制御信号を前記選択回路が識別可能な前記選択信号に変換して、前記選択信号を前記選択回路に対して出力する、ことを特徴とする請求項１に記載の地気インタフェース警報出力回路。
【請求項３】
伝送装置などの警報処理部などが送出するｍ個（ｍは任意の自然数）の警報信号を受信するステップと、前記ｍ個の警報信号からｎ×ｋ個（ｎとｋはともに任意の自然数。但し、ｍ≦ｎ×ｋである。）の警報項目を生成するステップと、前記ｎ×ｋ個の警報項目をｋ種類の警報情報に分類するステップと、前記ｋ種類（１種類につき、ｎ個の警報項目から成っている）の警報情報の内から、外部からの選択信号に従ってただ１種類の警報情報を選択するステップと、前記選択された１種類の警報情報の各警報項目をｎ個の地気警報出力端子の各々に地気出力するステップと、を備えたことを特徴とする地気インタフェース警報出力方法。
【請求項４】
請求項２に記載の地気インタフェース警報出力回路と、前記地気インタフェース警報出力回路が出力する地気出力を受けてランプ表示などを行うと共に、前記地気インタフェース警報出力回路に対する前記選択制御信号を出力する制御切替スイッチを備える監視盤と、を備えたことを特徴とする監視制御装置。
【発明の詳細な説明】
【０００１】
【発明の属する技術分野】
本発明は地気インタフェース警報出力回路と警報出力方法および装置に関し、特に伝送装置や通信回線などの障害や故障の状況を、地気インタフェースを介して監視することを可能とする地気インタフェース警報出力回路と警報出力方法および装置に関する。
【０００２】
【従来の技術】
従来から、伝送装置の電源断などの故障や、通信回線の伝送路符号誤りなどの障害が発生した場合に、警報を発出する手段の１つとして、地気出力、すなわち地気電位と伝送装置の給電電位との差により発生する電流を利用する方式がある。この方式においては、伝送装置などの警報処理部からの警報信号を警報検出回路で受信し、これを処理した警報項目情報を地気警報出力回路に出力して、地気警報出力回路から地気警報監視制御装置などに地気出力し、警報項目情報を監視するようになっている。
【０００３】
従来の地気インタフェース警報出力回路について、図４を参照して説明する。
【０００４】
図４は、従来の地気インタフェース警報出力回路を示すブロック図である。
【０００５】
図４において、地気インタフェース警報出力回路１００は、伝送装置などの警報処理部からの警報信号を、ｍ個の警報信号入力端子４（４−１、４−２、４−ｍ：ｍは任意の自然数）を介して受信する警報検出回路１と、警報検出回路１で受信した警報信号から、地気警報出力端子５（５−１、５−２、５−ｎ：ｎは任意の自然数）に対応する各警報項目を作成して地気警報出力回路３に送出する警報出力生成回路２０と、警報出力生成回路２０が生成した各警報項目の警報項目情報を受信して各警報項目に対応するｎ個の地気警報出力端子５（５−１、５−２、５−ｎ）に地気出力を出力する地気警報出力回路３とから構成されている。そして、地気警報出力端子５は地気警報監視制御装置などに接続されており、地気警報監視制御装置などで警報項目情報を監視するようになっている。
【０００６】
【発明が解決しようとする課題】
上述した従来の地気インタフェース警報出力回路１００においては、それまでの警報項目よりも、より詳細な警報項目を表そうとする場合などにおいては、警報項目の数の増加に伴い、地気警報出力回路３の地気警報出力端子５の数も、増加させなければならない、という問題点を有しており、地気警報出力端子５の数を増加させるためには、地気インタフェース警報出力回路１００及び地気インタフェース警報出力回路１００の出力する各警報項目を受信して表示などを行う地気警報監視制御装置などをも新たに製造して交換する必要性を生じるなどの欠点を有している。
【０００７】
本発明の目的は、伝送装置や通信回線などの障害や故障の状況が、警報信号として入力された場合に、警報信号から複数の警報項目を生成し、複数の警報項目を複数種類の警報情報に分類し、分類した警報情報の内の１組の警報情報のみを選択して地気出力することにより、地気インタフェースを介して警報情報を監視することを可能とする、地気インタフェース警報出力回路と警報出力方法および装置を提供することにある。
【０００８】
【課題を解決するための手段】
本発明の地気インタフェース警報出力回路は、伝送装置などの警報処理部などが送出するｍ個（ｍは任意の自然数）の警報信号を受けるｍ個の警報信号入力端子を備える警報検出回路と、前記警報検出回路が受信したｍ個の警報信号を入力として、ｍ個の警報信号からｎ×ｋ個（ｎとｋはともに任意の自然数。但し、ｍ≦ｎ×ｋである。）の警報項目を生成して警報分類回路に送出する警報出力生成回路と、前記警報出力生成回路が送出するｎ×ｋ個の警報項目を、ｋ種類の警報情報に分類して選択回路に送出する前記警報分類回路と、前記警報分類回路が送出したｋ種類（１種類につき、ｎ個の警報項目から成っている）の警報情報の内から、選択制御回路から送出される選択信号に従ってただ１種類の警報情報を選択して地気警報出力回路に送出する前記選択回路と、前記選択回路から送出された１種類の警報情報を受信して、前記警報情報の各警報項目を自身が備えるｎ個の地気警報出力端子の各々に地気出力する前記地気警報出力回路と、を備えたことを特徴とする。
【０００９】
また、前記選択制御回路は、制御切替スイッチなどから出力される選択制御信号を、自身が備える制御信号入力端子を介して受信し、前記選択制御信号を前記選択回路が識別可能な前記選択信号に変換して、前記選択信号を前記選択回路に対して出力する、ことを特徴とする。
【００１０】
本発明の地気インタフェース警報出力方法は、伝送装置などの警報処理部などが送出するｍ個（ｍは任意の自然数）の警報信号を受信するステップと、前記ｍ個の警報信号からｎ×ｋ個（ｎとｋはともに任意の自然数。但し、ｍ≦ｎ×ｋである。）の警報項目を生成するステップと、前記ｎ×ｋ個の警報項目をｋ種類の警報情報に分類するステップと、前記ｋ種類（１種類につき、ｎ個の警報項目から成っている）の警報情報の内から、外部からの選択信号に従ってただ１種類の警報情報を選択するステップと、前記選択された１種類の警報情報の各警報項目をｎ個の地気警報出力端子の各々に地気出力するステップと、を備えたことを特徴とする。
【００１１】
本発明の監視制御装置は、上記第２に記載の地気インタフェース警報出力回路と、前記地気インタフェース警報出力回路が出力する地気出力を受けてランプ表示などを行うと共に、前記地気インタフェース警報出力回路に対する前記選択制御信号を出力する制御切替スイッチを備える監視盤と、を備えたことを特徴とする。
【００１４】
【発明の実施の形態】
次に、本発明の実施の形態について図面を参照して説明する。
【００１５】
図１は、本発明の地気インタフェース警報出力回路の一実施形態を示すブロック図である。
【００１６】
図１に示す本実施の形態は、伝送装置２１０と、地気インタフェース警報出力回路２００と、地気警報監視制御装置２２０とから構成されている。
【００１７】
伝送装置２１０は、伝送装置２１０自体の故障や通信回線の障害等を検出する警報処理部２１１を備えており、警報処理部２１１で検出した故障や障害等を警報信号として、地気インタフェース警報出力回路２００に送出する。
【００１８】
地気インタフェース警報出力回路２００は、警報処理部２１１が送出する警報信号を受信する警報検出回路１と、警報検出回路１で受信した警報信号を受信し、警報信号から複数の警報項目を生成し、生成した複数の警報項目を複数種類の警報情報に分類し、分類した警報情報の内の１組の警報情報のみを外部からの選択制御信号６１により選択して、地気警報出力回路３に送出する警報処理回路６０と、警報処理回路６０が送出した１組の警報情報を受信し、これを地気出力する地気警報出力回路３とを備えている。
【００１９】
地気警報監視制御装置２２０は、地気警報出力回路３から送出された地気出力を受け、これをランプ表示などにより表示出力して警報の監視と制御を行うと共に、制御切替スイッチ２２１を備え、制御切替スイッチ２２１を操作することにより警報処理回路６０への選択制御信号６１を出力する。選択制御信号６１は、警報処理回路６０が複数種類に分類した警報情報の内のどの種類の警報情報を選択するかを指示する信号である。
【００２０】
次に、図２を参照して、地気インタフェース警報出力回路２００の詳細について説明する。
【００２１】
図２は、地気インタフェース警報出力回路の一例を示す詳細ブロック図である。なお、図２において図１に示す構成要素に対応するものは同一の参照数字または符号を付し、その説明を省略する。
【００２２】
図２において、地気インタフェース警報出力回路２００は、警報処理部２１１が送出するｍ個（ｍは任意の自然数）の警報信号を受けるｍ個の警報信号入力端子４（４−１、４−２、４−ｍ）を備える警報検出回路１と、警報検出回路１が受信したｍ個の警報信号を入力として、ｍ個の警報信号から複数（ｎ×ｋ個：ｎとｋはともに任意の自然数）の警報項目を生成して警報分類回路６に送出する警報出力生成回路２と、警報出力生成回路２が送出するｎ×ｋ個の警報項目を、複数種類（ｋ種類）の警報情報に分類して選択回路７に送出する警報分類回路６と、警報分類回路６が送出したｋ種類（１種類につき、ｎ個の警報項目から成っている）の警報情報の内から、選択制御回路８から送出される選択信号６２に従ってただ１種類の警報情報（ｎ個の警報項目から成る）を選択して地気警報出力回路３に送出する選択回路７と、選択回路７から送出された１種類の警報情報（ｎ個の警報項目から成る）を受信して、警報情報の各警報項目を自身が備えるｎ個の地気警報出力端子５（５−１、５−２、５−ｎ）の各々に地気出力する地気警報出力回路３と、地気警報監視制御装置２２０の制御切替スイッチ２２１から出力される選択制御信号６１を、自身が備える制御信号入力端子９を介して受信し、選択制御信号６１を選択回路７が識別可能な選択信号６２に変換して、選択信号６２を選択回路７に対して出力する選択制御回路８と、を備えている。
【００２３】
警報分類回路６は、ｎ×ｋ個の警報項目をｋ種類の警報情報に分類するので、１種類の警報情報にはｎ個の警報項目が含まれることとなる。選択回路７は、ｋ種類の警報情報からただ１種類の警報情報（ｎ個の警報項目から成る）を選択して地気警報出力回路３に出力する。
【００２４】
地気警報監視制御装置２２０は、地気警報出力回路３が備えるｎ個の地気警報出力端子５（５−１、５−２、５−ｎ）からの地気出力を受け、これをランプ表示などにより表示出力する。表示出力された警報情報の種類は、制御切替スイッチ２２１を操作して選択したものであるため、どの種類の警報情報であるかは事前に認識されている。
【００２５】
次に、図３を参照して、本実施形態の動作について具体例を示して説明する。
【００２６】
図３は、本実施形態の動作を説明する図である。なお、図３において図１、図２に示す構成要素に対応するものは同一の参照数字または符号を付し、その説明を省略する。
【００２７】
図３において、先ず、地気インタフェース警報出力回路２００は、警報信号入力端子４を３個備えているものとする。すなわち、図２において説明したｍの値が３である場合を例示している。また、地気警報出力端子５を３個備えているものとする。すなわち、図２において説明したｎの値が３である場合を例示している。
【００２８】
そして、伝送装置２１０は、その内部回路として回路Ａと、回路Ｂと、回路Ｃとを備えており、各々の回路は電源部と回線監視部とを備えているものとする。伝送装置２１０の警報処理部２１１は、回路Ａ、回路Ｂ、回路Ｃの状態を監視しており、各回路の電源部と回線監視部とに異常が有るか否かを２ビットの警報信号として地気インタフェース警報出力回路２００に送出するものとする。図３においては、回路Ａの異常の有無を２ビットの警報信号２１１１として送出するものとし、回路Ｂの異常の有無を２ビットの警報信号２１１２として送出するものとし、回路Ｃの異常の有無を２ビットの警報信号２１１３として送出するものとする。各警報信号２１１１、２１１２、２１１３では、送出方向に向かって前のビットが電源部、後のビットが回線監視部の異常の有無を示すものとし、○は異常無し、●は異常ありを示すものとする。例えば、警報信号２１１１では、回路Ａの電源部に異常があり（●で示す）、回線監視部には異常が無い（○で示す）ことを示している。
【００２９】
警報処理部２１１からの各警報信号２１１１、２１１２、２１１３は、それぞれ、地気インタフェース警報出力回路２００の警報信号入力端子４−１、４−２、４−３に対して送出される。
【００３０】
地気インタフェース警報出力回路２００の警報検出回路１は、警報信号入力端子４−１、４−２、４−３から警報信号２１２１、２１２２、２１２３を３個（ｍ個）受信し、これを警報出力生成回路２に送出する。各警報信号２１２１、２１２２、２１２３はそれぞれ、警報信号２１１１、２１１２、２１１３と同一内容である。
【００３１】
警報出力生成回路２では、警報検出回路１から受信した３個（ｍ個）の警報信号２１２１、２１２２、２１２３を元に、ｎ×ｋ個の警報項目を生成してこれを警報分類回路６に送出する。ここで、ｎは３であり、各警報信号２１２１、２１２２、２１２３はそれぞれ２ビットで構成されているため、ｋの値は２であるとし、ｎ×ｋ＝３×２＝６個の警報項目（これを図３の２０００として示す）を生成して、警報分類回路６に送出する。
【００３２】
警報分類回路６では、６個の警報項目２０００を２種類（ｋ種類）の警報情報に分類して、選択回路７に送出する。ここで、６個の警報項目２０００には、伝送装置２１０の各回路Ａ、Ｂ、Ｃそれぞれの電源部と回線監視部の異常の有無を示すビットが含まれているため、警報分類回路６では、図３の６０００に示すような分類を行い、各回路Ａ、Ｂ、Ｃの電源部を示す６００１と回線監視部を示す６００２の２種類の警報情報とし、これを選択回路７に送出する。
【００３３】
選択回路７では、図３の６０００と同一の分類結果７０００を受信する。そして、２種類の警報情報（７００１と７００２）の内から、選択制御回路８から送出される選択信号６２に従って、７００１と７００２の何れか１種類の警報情報を選択する。ここで、地気警報監視制御装置２２０の制御切替スイッチ２２１では、電源部と回線監視部のうち回線監視部の状態が表示されるよう選択が成されているため、選択制御回路８には回線監視部が選択されている旨を示す選択制御信号６１が制御信号入力端子９を介して入力され、選択制御回路８では、回線監視部が選択されている旨を示す選択信号６２に変換して、選択回路７に送出している。従って選択回路７では、回線監視部の状態を示す７００２の警報情報を選択し、これを地気警報出力回路３に送出する。
【００３４】
地気警報出力回路３では、７００２で示した警報情報を３０００で示す警報情報として受け、警報情報３０００を３個（ｎ個）の地気警報出力端子５（５−１、５−２、５−３）を介して地気警報監視制御装置２２０に対して地気出力し、地気警報監視制御装置２２０では、これをランプ表示４０００として表示出力する。ランプ表示４０００に表示されている警報情報は、制御切替スイッチ２２１で回線監視部の状態が表示されるよう選択しているため、各回路Ａ、Ｂ、Ｃの回線監視部の状態を表示していることが分かり、ランプ表示４０００では、伝送装置２１０の回路Ｃの回線監視部に異常が検出された旨が表示されている。
【００３５】
【発明の効果】
以上説明したように、本発明の地気インタフェース警報出力回路は、ｍ個の警報信号からｎ×ｋ個の警報項目が生成される場合に、これをｋ種類の警報情報に分類し、ｋ種類の警報情報のうちただ１種類の警報情報を選択して地気出力として出力できるので、それまでの警報項目の数よりも多くの数の警報項目を表そうとする場合であっても、地気出力を行う地気警報出力端子などの地気インタフェースの数を増加させる必要が無いという効果を有している。
【図面の簡単な説明】
【図１】本発明の地気インタフェース警報出力回路の一実施形態を示すブロック図である。
【図２】地気インタフェース警報出力回路の一例を示す詳細ブロック図である。
【図３】本実施形態の動作を説明する図である。
【図４】従来の地気インタフェース警報出力回路を示すブロック図である。
【符号の説明】
１    警報検出回路
２    警報出力生成回路
３    地気警報出力回路
４    警報信号入力端子
５    地気警報出力端子
６    警報分類回路
７    選択回路
８    選択制御回路
９    制御信号入力端子
２０    警報出力生成回路
６０    警報処理回路
６１    選択制御信号
６２    選択信号
１００    地気インタフェース警報出力回路
２００    地気インタフェース警報出力回路
２１０    伝送装置
２１１    警報処理部
２２０    地気警報監視制御装置
２２１    制御切替スイッチ
【図１】
0003564412.tif 000002
【図２】
0003564412.tif 000003
【図３】
0003564412.tif 000004
【図４】
0003564412.tif 000005